(57)【要約】【課題】効率よく硫化水素の濃度を低減できる、硫化水素低減方法並びに硫化水素低減装置を提供する。【解決手段】硫化水素低減装置１は、それぞれ水８が溜められた４つの１００リットルの槽と、硫化水素を含んだ温泉ガス３Ｂが発生する場所を囲って略密閉状態とする囲い３Ａに接続していると共に温泉ガス３Ｂを吸気して第１の槽２に供給する硫化水素供給管３と、各槽内の水８に空気供給管４Ａを通して空気を供給し曝気するブロワ４と、第２の槽２Ａ内の水８に液体微生物を供給する微生物供給機５とを備え、第１の槽２と第２の槽２Ａ、第２の槽２Ａと第３の槽２Ｂ、そして第３の槽２Ｂと第４の槽２Ｃはそれぞれ塩化ビニル製の連通管６によって通じており、連通管６内を水８が移動できる様に構成されている。また、第４の槽２Ｃには、水８を排出する排水管７が取り付けられている。また、各槽の上部は開放されている。【選択図】図１
2007301437.tif 000002
【特許請求の範囲】
【請求項１】
硫化水素を含む温泉ガスまたは硫化水素を含む温泉水のうち少なくとも一方を水に溶かして硫化水素水溶液を生成する工程と、
前記硫化水素水溶液に空気を供給する工程とを備える
ことを特徴とする硫化水素低減方法。
【請求項２】
前記硫化水素水溶液に、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給する工程を備える
ことを特徴とする請求項１に記載の硫化水素低減方法。
【請求項３】
前記硫化水素水溶液に、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給すると共に空気を供給する工程を備える
ことを特徴とする請求項１に記載の硫化水素低減方法。
【請求項４】
硫化水素を含む温泉ガスまたは硫化水素を含む温泉水のうち少なくとも一方を水に溶かして硫化水素水溶液を生成する第１工程と、
該第１工程後に、前記硫化水素水溶液に空気を供給する第２工程と、
該第２工程後に、前記硫化水素水溶液に、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給すると共に空気を供給する第３工程とを備える
ことを特徴とする硫化水素低減方法。
【請求項５】
前記第３工程の前記硫化水素水溶液は、前記第２工程の前記硫化水素水溶液よりも高温である
ことを特徴とする請求項４に記載の硫化水素低減方法。
【請求項６】
硫化水素を含む温泉ガスまたは硫化水素を含む温泉水のうち少なくとも一方を水に溶かした硫化水素水溶液中の硫化水素の濃度を低減する硫化水素低減装置において、
容器と、
該容器内に硫化水素を含む温泉ガスまたは硫化水素を含む温泉水のうち少なくとも一方を供給する硫化水素供給手段と、
前記容器内に空気を供給する空気供給手段とを備えた
ことを特徴とする硫化水素低減装置。
【請求項７】
前記容器内に、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給する微生物供給手段を備える
ことを特徴とする請求項６に記載の硫化水素低減装置。
【請求項８】
硫化水素を含む温泉ガスまたは硫化水素を含む温泉水のうち少なくとも一方を水に溶かした硫化水素水溶液中の硫化水素の濃度を低減する硫化水素低減装置において、
第１の容器と、
該第１の容器と互いに通じている第２の容器と、
前記第１の容器内に硫化水素を含む温泉ガスまたは硫化水素を含む温泉水のうち少なくとも一方を供給する硫化水素供給手段と、
前記第１の容器及び前記第２の容器内に空気を供給する空気供給手段と、
前記第２の容器内にミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給する微生物供給手段とを備える
ことを特徴とする硫化水素低減装置。
【請求項９】
前記第１の容器内で空気が供給された硫化水素水溶液が前記第２容器に供給される
ことを特徴とする請求項８に記載の硫化水素低減装置。
【請求項１０】
前記第１の容器の上部が開放されていると共に、
前記第１の容器が前記第２の容器よりも高い位置に配置されている
ことを特徴とする請求項８または請求項９に記載の硫化水素低減装置。
【発明の詳細な説明】
【技術分野】
【０００１】
本発明は硫化水素低減方法及び硫化水素低減装置に関する。詳しくは、温泉ガスや温泉水中の硫化水素濃度を低減する硫化水素低減方法並びに硫化水素低減装置に係るものである。
【背景技術】
【０００２】
硫化水素は、腐敗した卵に似た強い刺激臭を有し、目、皮膚、粘膜等を刺激して人体に悪影響を及ぼす気体である。また、自然界において、硫化水素は火山ガスや温泉等に含まれ、温泉の吹き出し口等では窪地に溜まりやすく、空気中に拡散しにくい洞窟内や積雪等によって覆われた場所では特に硫化水素濃度が高い。一般に、１０００〜２０００ｐｐｍの硫化水素を人間が吸うと即死するとされるが、積雪等によって覆われた場所では、約５０００ｐｐｍになるといわれている。特に、観光客等で賑う温泉地では、積雪によって硫化水素が溜まった場所が隠され、観光客がこのような場所に立ち入ってしまうおそれもあり、硫化水素を除去して、硫化水素の濃度を労働安全衛生法の規制値（許容限界濃度）である１０ｐｐｍより低い値にするなどの対策が求められている。
【０００３】
硫化水素を除去する方法については様々な技術が提案されており、例えば、硫化水素と水酸化鉄の化学反応及び吸着によって硫化水素を除去する技術が提案されている（例えば、特許文献１参照。）。
ここで、図４は従来の硫化水素を除去する方法（従来方法）を説明するための概略図であり、従来方法では、脱硫化水素材であるペレット１０２が充填された脱硫化水素装置１０１に硫化水素含有ガスを導入し、ガス中の硫化水素をペレット１０２と反応させることで硫化水素を吸着させて除去している。
【０００４】
【特許文献１】特開２００２−２５３９６３号公報
【発明の開示】
【発明が解決しようとする課題】
【０００５】
しかしながら、ペレット表面は硫化水素の接触により反応するものの、ペレット内部には硫化水素が浸透しにくいためにかなりの部分が未反応のまま残り、反応効率が悪くて無駄が多く、また、柱状のペレットであるため脱硫化水素装置内に均一に充填されず、特に壁部において大きな空隙が形成され、その結果ガスが均一に流れずにペレットとの接触が不均一になって、充分に硫化水素を除去できていなかった。
【０００６】
本発明は、以上の点に鑑みて創案されたものであり、効率よく硫化水素の濃度を低減できる、硫化水素低減方法及び硫化水素低減装置を提供することを目的とする。
【課題を解決するための手段】
【０００７】
上記の目的を達成するために、本発明の硫化水素低減方法は、硫化水素を含む温泉ガスまたは硫化水素を含む温泉水のうち少なくとも一方を水に溶かして硫化水素水溶液を生成する工程と、前記硫化水素水溶液に空気を供給する工程とを備えることを特徴とする。
【０００８】
ここで、温泉ガスまたは硫化水素を含む温泉水のうち少なくとも一方を水に溶かして得られた硫化水素水溶液に空気を供給することによって硫化水素が酸化される。
【０００９】
また、本発明の硫化水素低減方法において、硫化水素水溶液に、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給する工程を備える場合、供給された微生物によって硫化水素が除去される。
【００１０】
また、本発明の硫化水素低減方法において、硫化水素水溶液に、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給すると共に空気を供給する工程を備える場合、供給された空気の酸素によって微生物の働きが活発になり、活発な微生物によって硫化水素が除去される。
【００１１】
また、上記の目的を達成するために、本発明の硫化水素低減方法は、硫化水素を含む温泉ガスまたは硫化水素を含む温泉水のうち少なくとも一方を水に溶かして硫化水素水溶液を生成する第１工程と、該第１工程後に、前記硫化水素水溶液に空気を供給する第２工程と、該第２工程後に、前記硫化水素水溶液に、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給すると共に空気を供給する第３工程とを備えることを特徴とする。
【００１２】
ここで、硫化水素を含む温泉ガスまたは硫化水素を含む温泉水のうち少なくとも一方を水に溶かして硫化水素水溶液を生成する第１工程後に、硫化水素水溶液に空気を供給する第２工程によって、硫化水素が酸化される。また、硫化水素水溶液に微生物を供給すると共に空気を供給する第３工程によって、供給された空気の酸素によって微生物の働きが活発になり、活発な微生物によって硫化水素が除去される。
【００１３】
また、本発明の硫化水素低減方法において、第３工程の硫化水素水溶液は、第２工程の硫化水素水溶液よりも高温である場合、微生物の働きを活発化させることができる。
【００１４】
また、上記の目的を達成するために、本発明の硫化水素低減装置は、硫化水素を含む温泉ガスまたは硫化水素を含む温泉水のうち少なくとも一方を水に溶かした硫化水素水溶液中の硫化水素の濃度を低減する硫化水素低減装置において、容器と、該容器内に硫化水素を含む温泉ガスまたは硫化水素を含む温泉水のうち少なくとも一方を供給する硫化水素供給手段と、前記容器内に空気を供給する空気供給手段とを備えたことを特徴とする。
【００１５】
ここで、硫化水素供給手段によって水に硫化水素を溶かすことができ、空気供給手段によって硫化水素を酸化させることができる。
【００１６】
また、本発明の硫化水素低減装置において、容器内に、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給する微生物供給手段を備える場合、供給された微生物によって硫化水素が除去される。
【００１７】
更に、上記の目的を達成するために、本発明の硫化水素低減装置は、硫化水素を含む温泉ガスまたは硫化水素を含む温泉水のうち少なくとも一方を水に溶かした硫化水素水溶液中の硫化水素の濃度を低減する硫化水素低減装置において、第１の容器と、該第１の容器と互いに通じている第２の容器と、前記第１の容器内に硫化水素を含む温泉ガスまたは硫化水素を含む温泉水のうち少なくとも一方を供給する硫化水素供給手段と、前記第１の容器及び前記第２の容器内に空気を供給する空気供給手段と、前記第２の容器内にミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（ＦＥＲＭ  Ｐ−１７９７７）のうちの少なくとも１つの微生物を供給する微生物供給手段とを備えることを特徴とする。
【００１８】
ここで、第１の容器及び前記第２の容器内に空気を供給する空気供給手段によって、硫化水素が酸化される。また、第２の容器内に微生物を供給する微生物供給手段によって、供給された微生物が硫化水素を除去し、空気供給手段が供給する空気中の酸素によって微生物の働きが活発になる。
【００１９】
また、本発明の硫化水素低減装置において、第１の容器内で空気が供給された硫化水素水溶液が前記第２容器に供給される場合、硫化水素を酸化させたうえに更に微生物によって硫化水素を除去できる。
【００２０】
また、本発明の硫化水素低減装置において、第１の容器の上部が開放されていると共に、第１の容器が第２の容器よりも高い位置に配置されている場合、容器の上部が開放されているので硫化水素が大気中に拡散しやすくなり、また第１の容器を第２の容器よりも高い位置例えば山頂に配置することで、人気が少なく硫化水素を拡散させやすいうえに高地であるため気温も低く容器内の水温も低下して硫化水素を溶かしやすくなる。
【発明の効果】
【００２１】
本発明に係る硫化水素低減方法は、効率よく硫化水素の濃度を低減することができる。また、本発明に係る硫化水素低減装置は、効率よく硫化水素の濃度を低減することができる。
【発明を実施するための最良の形態】
【００２２】
以下、本発明の実施の形態について図面を参照しながら説明し、本発明の理解に供する。
図１は、本発明を適用した硫化水低減装置の一例を示す概略図である。本発明を適用した硫化水素低減装置１は、それぞれ水８が溜められた４つの１００リットルの槽（第１の槽２、第２の槽２Ａ、第３の槽２Ｂ及び第４の槽２Ｃ）と、硫化水素を含んだ温泉ガス３Ｂが発生する場所を囲って略密閉状態とする囲い３Ａに接続していると共に温泉ガス３Ｂをファン（図示せず。）で吸気して第１の槽２に供給する硫化水素供給管（硫化水素供給手段の一例である。）３と、各槽内の水８に空気供給管４Ａを通して空気を供給し曝気するブロワ（空気供給手段の一例である。）４と、第２の槽２Ａ内の水８に液体微生物を供給する微生物供給機（微生物供給手段の一例である。）５とを備え、第１の槽２と第２の槽２Ａ、第２の槽２Ａと第３の槽２Ｂ、そして第３の槽２Ｂと第４の槽２Ｃはそれぞれ塩化ビニル製の連通管６によって通じており、連通管６内を水８が移動できる様に構成されている。また、第４の槽２Ｃには、水８を排出する排水管７が取り付けられている。また、各槽の上部は開放されている。
【００２３】
また、第１の槽２内の水８の温度は、例えば２０℃以下であり、第２の槽２Ａ内の水８の温度は、加熱機（図示せず。）によって加熱され、微生物が活発に働く４０〜５０℃である。また、硫化水素供給管３が供給する硫化水素を含んだ温泉ガス中の硫化水素濃度は約８１８ｐｐｍであり、温泉ガスの供給速度は約３．６リットル／分である。また、液体微生物の供給速度は約１８０ｍｌ／分である。また、各槽内の水は、第１の槽２から第２の槽２Ａへ、第２の槽２Ａから第３の槽２Ｂへ、第３の槽２Ｂから第４の槽２Ｃへと連通管を介して流れ、そして排水管７から排出される。
【００２４】
また、本発明で使用される微生物は、特許第３４００４１８号に係る微生物である。即ち、ミクロバクテリウムサペルダエ（Ｍｉｃｒｏｂａｃｔｅｒｉｕｍ  ｓａｐｅｒｄａｅ）に属し廃油及び油脂を資化して生育できる微生物ＳＩＩＤ４４０−１（受託番号：ＦＥＲＭ  Ｐ−１７９７４）、スフィンゴモナスエスピー（Ｓｐｈｉｎｇｏｍｏｎａｓ  ｓｐ．）に属し廃油及び油脂を資化して生育できる微生物ＳＩＩＤ４４０−２（受託番号：ＦＥＲＭ  Ｐ−１７９７５）、ミクロバクテリウムエステラロマティクム（Ｍｉｃｒｏｂａｃｔｅｒｉｕｍｅｓｔｅｒａｒｏｍａｔｉｃｕｍ）に属し廃油及び油脂を資化して生育できる微生物ＳＩＩＤ４４０−３（受託番号：ＦＥＲＭ  Ｐ−１７９７６）、及びバチルスセレウス（Ｂａｃｉｌｌｕｓ  ｃｅｒｅｕｓ）に属し廃油及び油脂を資化して生育できる微生物ＳＩＩＤ４４０−４（受託番号：ＦＥＲＭ  Ｐ−１７９７７）であり、これら微生物は、工業技術院生命工学工業技術研究所に平成１２年（２０００年）７月２７日に寄託されている。
【００２５】
ここで、硫化水素を含んだ温泉ガスを例に挙げて説明しているが、硫化水素を含んだ温泉水を水に供給してもよいことは勿論である。また、硫化水素を含む温泉ガスまたは硫化水素を含む温泉水のうち少なくとも一方を水に溶かして硫化水素水溶液を生成し、硫化水素水溶液に空気を供給するのであれば、必ずしも微生物を供給しなくてもよく、また、必ずしも液体微生物でなくてもよく、粉末微生物であってもよい。
【００２６】
また、硫化水素を含む温泉ガスまたは硫化水素を含む温泉水のうち少なくとも一方を水に溶かして硫化水素水溶液を生成し、硫化水素水溶液に空気を供給するのであれば、必ずしも硫化水素を含む温泉ガスまたは硫化水素を含む温泉水のうち少なくとも一方と微生物とを別の槽に供給しなくてもよく、同じ槽に供給してもよいし、また、必ずしも槽は複数なくてもよい。また、硫化水素を含む温泉ガスまたは硫化水素を含む温泉水のうち少なくとも一方を水に溶かして硫化水素水溶液を生成し、硫化水素水溶液に空気を供給するのであれば、必ずしも第１の槽の水温を２０℃以下にしなくてもよく、また必ずしも第２の槽の水温を４０〜５０℃にしなくてもよい。
【００２７】
上記の様に構成された硫化水素低減装置における各槽内の水に溶けた硫化水素の濃度を測定したところ、第１の槽２内の水８に溶けた硫化水素の濃度は１０２．０ｐｐｍ、第２の槽２Ａ内の水８に溶けた硫化水素の濃度は１１．０ｐｐｍ、第３の槽２Ｂ内の水８に溶けた硫化水素の濃度は９．５ｐｐｍ、そして第４の槽２Ｃ内の水８に溶けた硫化水素の濃度は２．２ｐｐｍであった。
【００２８】
図２は、本発明を適用した硫化水素低減装置の他の例を示す概略図である。図２の硫化水素低減装置１は、硫化水素低減装置１の第１の槽２が、人気のほとんどない山９の山頂に設置されており、山頂から山９の斜面に沿って第２の槽２Ａ、第３の槽２Ｂそして第４の槽２Ｃの順に下って設置されていると共に、ブロワ４は各槽に１機ずつ併設されている点を除いて図１の硫化水素低減装置と同じである。
【００２９】
図３は、水に硫化水素を溶かして空気を供給したときの硫化水素濃度と、何もしないときの硫化水素濃度の各経時変化を示すグラフである。先ず、硫化水素を含有する液体（硫化水素濃度：８１８ｐｐｍ）が入った容器を２つ用意し、一方の容器に入った硫化水素を含有する液体を、２０℃の水が入った容器に供給すると共に空気を水に供給した（低減処理）。他方の容器はそのまま放置した（未処理）。そして、１５分後、３０分後、４５分後及び６０分後それぞれの時点での、水に溶かして空気を供給したときの硫化水素濃度と、放置された容器内の硫化水素濃度とを測定した。結果を図３に示す。
【００３０】
図３から明らかなように、低減処理を行なった場合には、開始からの１５分間で、硫化水素の濃度は８１８ｐｐｍから５１ｐｐｍへと減少し、開始から３０分後に３０ｐｐｍ、開始から４５分後に２２ｐｐｍ、そして開始から６０分後に１５ｐｐｍへと減少した（グラフ線の低減処理１０参照。）。
一方、未処理の場合には、開始から１５分間で８１８ｐｐｍから６７０ｐｐｍまでしか減少せず、開始から３０分後に６５９ｐｐｍ、開始から４５分後に５７５ｐｐｍ、そして開始から６０分後でも５８７ｐｐｍまでしか減少しなかった（グラフ線の未処理１１参照。）。
【００３１】
このように、本発明の硫化水素低減方法や硫化水素低減装置は、硫化水素を含む温泉ガスまたは硫化水素を含む温泉水のうち少なくとも一方を水に溶かして硫化水素水溶液を生成し、更に硫化水素水溶液に空気を供給しているので硫化水素が酸化でき、硫化水素の濃度を低減できる。
【００３２】
また、本発明の硫化水素低減方法や硫化水素低減装置は、特定の微生物を、硫化水素水溶液に供給すると共に空気も供給するので、供給された空気中の酸素によって微生物の働きが活発になり、活発な微生物によって硫化水素が除去され、硫化水素濃度の低減を促進できる。
【００３３】
更に、本発明の硫化水素低減方法や硫化水素低減装置は、互いに通じた複数の容器に水を溜め、複数の容器のうち硫化水素を含む温泉ガスまたは硫化水素を含む温泉水のうち少なくとも一方が供給される第１の容器内の水の温度を２０℃以下にすると共に、第２の容器内の水の温度を第１の容器内の水の温度よりも高くし（４０〜５０℃）、第２の容器内に特定の微生物を供給するので、硫化水素が溶けやすくなると共に微生物の働きを活発化させることができる。
【００３４】
また、本発明の硫化水素低減方法や硫化水素低減装置は、複数の容器のうち、硫化水素を含む温泉ガスまたは硫化水素を含む温泉水のうち少なくとも一方が供給される第１の容器の上部が開放されているので硫化水素が大気中に拡散しやすくなり、また第１の容器を山頂等に設置して第２の容器よりも高い位置に配置するので、人気が少なく硫化水素を拡散させやすいうえに高地であるため気温も低く容器内の水温も低下して硫化水素を溶かしやすくなる。
【図面の簡単な説明】
【００３５】
【図１】本発明を適用した硫化水低減装置の一例を示す概略図である。
【図２】本発明を適用した硫化水素低減装置の他の例を示す概略図である。
【図３】水に硫化水素を溶かして空気を供給したときの硫化水素濃度と、何もしないときの硫化水素濃度の各経時変化を示すグラフである。
【図４】従来の硫化水素を除去する方法（従来方法）を説明するための概略図である。
【符号の説明】
【００３６】
１    硫化水素低減装置
２    第１の槽
２Ａ  第２の槽
２Ｂ  第３の槽
２Ｃ  第４の槽
３    硫化水素供給管
３Ａ  囲い
３Ｂ  温泉ガス
４    ブロワ
４Ａ  空気供給管
５    微生物供給機
６    連通管
７    排水管
８    水
９    山
１０    低減処理グラフ線
１１    未処理グラフ線
【図１】
2007301437.tif 000003
【図２】
2007301437.tif 000004
【図３】
2007301437.tif 000005
【図４】
2007301437.tif 000006